(57)【要約】【課題】居住空間のほぼ全体に渡る大きな対流を作りながら空気清浄できる空気清浄機を提供する。【解決手段】収納室３ａを有し１８０ｃｍ程度の丈を有する収納庫型のキャビネット３に側方から見てコ字形のダクト１３を設け、ダクト１３の吸気口１４ａをキャビネット３の前面下端部に開口させ、排気口１５ａをキャビネット３の前面上端部に開口させる。ダクト１３内には、その下端部１４に吸気口１４ａ側からフィルターユニット２４、吸気ファン２０、オゾン発生器２７をこの順で設け、上端部１５には排気口１５ａ側からマイナスイオン発生器３５、排気ファン２１、電子フィルター３３、オゾン除去フィルター３０、３１をこの順で設けた。室内の空気は床面近くからダクト１３に入って天井近くから排出されるため室内全体に渡る大きなサーキュレーションが作られ、ダクト１３通過中に除塵、殺菌される。【選択図】　　　　図２
2004020006.tif 000002
【特許請求の範囲】
【請求項１】
前面に排気口と吸気口がある通気路を備えており、該通気路に、吸気口から吸引されて排気口から排出される空気流を作るためのファンと、吸気口又はその近くに着脱自在に取り付けられた除塵フィルターと、排気口近くに配置されたマイナスイオン発生器と、これら除塵フィルターとマイナスイオン発生器との間の区間における風上側に配置されたオゾン発生器とこの区間における風下側に配置されたオゾン除去フィルターとを設けたことを特徴とする空気清浄機。
【請求項２】
請求項１に記載した空気清浄機において、排気口は前面の上端部に配置され、吸気口は前面の下端部に配置されていることを特徴とする空気清浄機。
【請求項３】
請求項１または２に記載した空気清浄機において、物品収納部を有する収納庫型のキャビネットを備えており、このキャビネットに当該物品収納部を避けて通気路が設けられていることを特徴とする空気清浄機。
【請求項４】
請求項１または２に記載した空気清浄機において、通気路は総体的に上下方向へ延びる形にし、この通気路の前面とほぼ同じ面上に吸気口と排気口を設けたことを特徴とする空気清浄機。
【請求項５】
請求項１から４のいずれかに記載した空気清浄機において、通気路のうちオゾン発生器とオゾン除去フィルターとの間の区間に空気流を蛇行させるための風向板を設けたことを特徴とする空気清浄機。
【請求項６】
請求項１から５のいずれかに記載した空気清浄機において、ファンは、吸気用ファンと排気用ファンを備えたことを特徴とする空気清浄機。
【請求項７】
請求項１から６のいずれかに記載した空気清浄機において、吸気口とオゾン発生器との間の区間にもオゾン除去フィルターを設けたことを特徴とする空気清浄機。
【発明の詳細な説明】
【０００１】
【発明の属する技術分野】
本発明は空気清浄機に係り、特に、居住空間のほぼ全体に渡る大きな対流を伴って空気浄化を行うことができる新規な空気清浄機に関するものである。
【０００２】
【従来の技術】
室内の空気を浄化する機器として空気清浄機がある。今日の空気清浄機は、除塵フィルターの他に、オゾン発生器やマイナスイオン発生器などを付設することでダストの殺菌や分解なども行う機能を持たせた多機能のものが多く出回って来ている。
【０００３】
【発明が解決しようとする課題】
しかしながら、家庭やオフィスなどの居住空間で用いられる従来の空気清浄機は、通常、正面外形が縦横数１０ｃｍ程度で奥行きの小さい箱形に形成されたキャビネットにフィルターと吸気用ファンやオゾン発生器などの部材をコンパクトに収めた構造になっているため、床に置いたり、壁に掛けて使用するには置き場所を取らないという利点がある反面、空気浄化が室内全体に行き届き難く、オゾン発生器を備えている場合でもその効能が十分果されないという問題があった。
【０００４】
すなわち、当該キャビネットの前面を為す吸気口から取り込まれた空気はその吸気口辺りでフィルターを通った後、直ぐにケーシングの側面にある排気口から放出されてしまうため、オゾンとの接触時間や接触量が少なく、また、吸気と排気による空気の流れは当該ケーシングの付近に起こるだけであって室内のほぼ全体に対流を起こすことは無いので、室内の空気を常時満遍なく浄化することが不可能だからである。
【０００５】
本発明は上記した従来の問題点に鑑みて為されたものであり、家屋における室内など居住空間のほぼ全体に渡る大きな対流を伴って空気浄化を行うことができると共に、オゾン発生器の機能を十分果すことができ、また、意匠的効果にも優れ室内に出っ張らないすっきりした状態で設置することができる新規な空気清浄機を提供することを目的とする。
【０００６】
【課題を解決するための手段】
この目的を達成するために、請求項１に記載した空気清浄機は、前面に排気口と吸気口がある通気路を備えており、該通気路に、吸気口から吸引されて排気口から排出される空気流を作るためのファンと、吸気口又はその近くに着脱自在に取り付けられた除塵フィルターと、排気口近くに配置されたマイナスイオン発生器と、これら除塵フィルターとマイナスイオン発生器との間の区間における風上側に配置されたオゾン発生器とこの区間における風下側に配置されたオゾン除去フィルターとを設けたことを特徴とするものである。
【０００７】
この空気清浄機によれば、吸気口から通気路に入った空気は、先ず除塵フィルターで除塵された後、オゾン発生器から発生するオゾンによって殺菌されながら通気路を流れて行き、排気口から出る前にオゾン除去フィルターによってオゾンを取り除かれる。そして、マイナスイオン発生器から発生するマイナスイオンを伴って排気口から室内に放出され、そのマイナスイオンによって更に室内の空気が浄化される。特に、従来一般的な空気清浄機とは違って、吸気口から排気口までの距離がかなり長いため、通気路を流れる空気をオゾン発生器から発生するオゾンに長い時間接触させることができ、それによってオゾンによる殺菌を十分行うことができる。
従って、本発明によれば、室内の空気をほぼ全体に渡って常時満遍なく浄化することができる。
【０００８】
通気路内を流れる空気がオゾンに接する時間を長くするためには、オゾン発生器をなるべく吸気口に近いところに配置しオゾン除去フィルターはなるべく排気口に近いところに配置してこれらの間の区間をできるだけ長く取ると良い。
オゾン除去フィルターを設けたので、オゾンが機外へ出るのを防止できる。従って、１０ｐｐｍ程度の高濃度のオゾンを発生させて極めて効果的な殺菌を行うことが可能となる。なお、開放された空間で発生させても人体に害のないオゾン濃度は、０．１ｐｐｍ程度である。
除塵フィルターは、開口度が異なるものを複数枚組み合わせて設けると良く、更には、脱臭材を付与した脱臭フィルターを併用するのが望ましい。
場合によっては、排気口側にもフィルターを設けると良く、この場合のフィルターとしては電子フィルターを用いることも考えられる。
【０００９】
請求項２に記載した空気清浄機は、請求項１に記載した空気清浄機において、排気口は前面の上端部に配置され、吸気口は前面の下端部に配置されていることを特徴とするものである。
【００１０】
この空気清浄機によれば、吸気口が床面近くに来るように置くと、室内の空気はその床面近くから通気路に吸引されて天井近くから排出されるため、室内の空気が全体的にサーキュレーションされると共に、その空気が主として通気路を通る間に清浄される。
【００１１】
請求項３に記載した空気清浄機は、請求項１または２に記載した空気清浄機において、物品収納部を有する収納庫型のキャビネットを備えており、このキャビネットに当該物品収納部を避けて通気路を設けると共に、該通気路の吸気口は当該キャビネットの下端部側面に開口し排気口は当該キャビネットの上端部外面に開口したことを特徴とするものである。
【００１２】
この請求項３に記載した空気清浄機は、本発明を収納庫型に具体化したものである。所謂洋ダンスとか多目的収納庫などの収納庫は、一般に全高が１８０ｃｍ程度あるキャビネットを備えており、その幕板や天板下部と背面部には多少の空間が残されることが多いので、その空間を利用して通気路を設けることは比較的容易である。
従って、この請求項３の発明によれば、空気清浄機自体が特別場所を取らない形で設置することができるし、空気清浄機を意識させない意匠的美観を奏する。
【００１３】
請求項４に記載した空気清浄機は、請求項１または２に記載した空気清浄機において、通気路は総体的に上下方向へ延びる形にし、この通気路の前面とほぼ同じ面上に吸気口と排気口を設けたことを特徴とするものである。
【００１４】
通気路の形をこのようにすると、奥行きサイズをかなり小さくすることができるので、室内に設置する場合でも場所を取らないし、壁に裏側から取り付ける所謂ビルドインタイプにすることも容易になる。
具体的には、通気路を画するダクトを総体的に上下方向へ延びる縦長の形にし、吸気口と排気口はそのダクトの前面の上下両端部に設けるか又はダクトの前面より多少前側へ突出するように設ければ、奥行きをかなり薄型にできるし、その吸気口と排気口が臨む孔を壁材に穿つだけで、当該壁材の内面沿いに通気路を配置することができる。このようにして壁の裏側に取り付ければ、室内には出っ張らないすっきりした状態で設置することができる。
【００１５】
請求項５に記載した空気清浄機は、請求項１から４のいずれかに記載した空気清浄機において、通気路のうちオゾン発生器とオゾン除去フィルターとの間の区間に空気流を蛇行させるための風向板を設けたことを特徴とするものである。
このようにすると、通気路の外形寸法の割に空気が流れる実質的距離が長くなるし、ここを流れる空気が撹拌され易くなるため、その分、通気路を流れる空気とオゾン発生器から発生したオゾンとの接触が十分行われて、オゾンによる殺菌効果がより高まる。
【００１６】
請求項６に記載した空気清浄機は、請求項１から５のいずれかに記載した空気清浄機において、ファンは、吸気用ファンと排気用ファンを備えたことを特徴とするものである。
このようにすると、通気路における空気流が滑らかになって処理能力が向上すると共に、ファンに掛かる圧力が低下するために騒音も小さくなる。
【００１７】
請求項７に記載した空気清浄機は、請求項１から６のいずれかに記載した空気清浄機において、吸気口とオゾン発生器との間の区間にもオゾン除去フィルターを設けたことを特徴とするものである。
このようにすると、何らかの原因でファンが停止してオゾン発生器だけが駆動し続けるような事態が起こっても、吸気口側へ向かうオゾンは、吸気口とオゾン発生器との間の区間に設けられているオゾン除去フィルターによって除去されるため、オゾンによる事故の発生を確実に防止することができる。
【００１８】
【発明の実施の形態】
以下に、本発明の実施の形態に係る空気清浄機を図面に従って説明する。
〔１．第一の実施の形態〕（図１〜図３）
図１から図３は、第一の実施の形態に係る空気清浄機１を示すものであり、この空気清浄機１は、収納庫型のキャビネット３に空気清浄部１１を組み込んだ構造になっている。
【００１９】
〔Ａ．キャビネット〕（図１、図２）
キャビネット３は大部分を木材やプラスチックで形成したもので、１．８メートル程度の丈を有する縦長矩形をしている。キャビネット３の内部には、背面部（図１における右上方へ向かう方向を後側とし、同図における左上方へ向かう方向を左側とする。）と上下両端部に渡る部分を空気清浄部組込み空間として残して、前面が開口した箱形の内壁４（図２参照）を取り付けることで収納室３ａを設けてある。この収納室３ａの前面にはここを開閉する扉５を取り付けてあり、収納室３ａを上下に２分している仕切り壁６の前面には、空気清浄部１１に対する操作を行うための操作パネル７（図１参照）が設けられている。
【００２０】
〔Ｂ．空気清浄部〕（図１〜図３）
空気清浄部１１は、通気路を画成するダクト１３と、このダクト１３の中に配置された吸気ファン２０及び排気ファン２１と、４枚のフィルターを着脱自在に装着したフィルターユニット２４と、オゾン発生器２７と、３つのオゾン除去フィルター２９、３０及び３１と、電子フィルター３３と、マイナスイオン発生器３５などで構成されている。
【００２１】
〔Ｂ−１．ダクト〕（図１〜図３）
ダクト１３は、右側から見てその全体がほぼコ字形に屈曲しており、その横断面は左右方向に比較的細長い矩形を為し、下端部１４の前端開口が吸気口１４ａで、上端部１５の前端開口が排気口１５ａになっている。これら上端部１５と下端部１４をつないだ垂直部１６はその左右幅を上端部１５及び下端部１４の左右幅のほぼ半分にされると共に上端と下端は先拡がりの形で上端部１５と下端部１４にそれぞれ連続している。
下端部１４のほぼ中間位置はそれより前側が後側より低くなるようにクランク形に屈曲し、上端部１５の排気口１５ａ寄りの位置もそれより前側が後側より高くなるようにクランク形に屈曲している。
【００２２】
垂直部１６における上下両端以外の内部には多数の風向板１７が取り付けられている。この風向板１７は、前後両側壁の内面から上下方向で交互に突出するように取り付けられると共に、それぞれ上向きにほぼ４５゜傾斜した姿勢になっていて、この姿勢での水平前後幅は垂直部１６の前後幅の半分余りになっている。このようなダクト１３は、キャビネット３に残されている空気清浄部配置空間に収められ、その吸気口１４ａはキャビネット３の前面下端部に開口し、吸気口１５ａはキャビネット３の前面上端部に開口する。
排気口１５ａには横桟形の排気口パネル１８が着脱自在に取り付けられる。
【００２３】
〔Ｂ−２．ファン、フィルターユニット〕（図１〜図３）
ダクト１３の下端部１４における前記クランク形の屈曲部にはここをほぼ塞ぐ形で吸気ファン２０が配置され、上端部１５におけるクランク形の屈曲部にはここをほぼ塞ぐ形で排気ファン２１が配置されている。これらファン２０、２１には横長のシロッコファンが用いられ、吸気ファン２０は吸気口１４ａからダクト１３内に空気を吸引する方向へ回転され、排気ファン２１はダクト１３内の空気を排気口１５ａから機外へ排出する方向へ回転される。従って、ファン２０、２１が回転すると、ダクト１３内に吸気口１４ａから排気口１５ａへ向かって流れる空気流が発生し、この空気流は垂直部１６を通る際に風向板１７によって蛇行させられる。
【００２４】
フィルターユニット２４は、後側面と上面が開口し前面が横桟付きの開口に形成された箱形のフレーム２５を有する。このフレーム２５は、前方から見て吸気口１４ａにほぼぴったり収まる大きさの外形を有すると共に、一定間隔で前後に並んだ４つの縦溝が設けられていて、この４つの縦溝にそれぞれ除塵フィルター２６ａ、２６ｂ、脱臭フィルター２６ｃ、２６ｄが交換可能に装着される。以下の説明において、これら除塵フィルター２６ａ、２６ｂ、脱臭フィルター２６ｃ、２６ｄを、４枚まとめてフィルター２６と称する。
このようなフィルターユニット２４は、図２に示すように吸気口１４ａからダクト１３内に装填され、その前面が吸気口１４ａのパネルを兼ねる。
吸気口１４ａからダクト１３内に吸引されて行く機外の空気は、先ず４枚のフィルター２６を通されることで除塵や脱臭を施される。
【００２５】
〔Ｂ−３．オゾン発生器、オゾン除去フィルター等〕（図２、図３）
オゾン発生器２７には既知の放電生成式のものを使用している。このオゾン発生器２７は、ダクト１３の下端部１５における吸気ファン２０から後側の位置に取り付けられており、その電源はダクト１３の外に配置されている。従って、フィルター２６を通してダクト１３内に吸引された空気は、オゾン発生器２７から発生するオゾンに触れることにより殺菌されて上に流れて行く。この空気がダクト１３の垂直部１６を通るときは風向板１７によって繰り返し蛇行するので、この蛇行による撹拌作用により、空気とオゾンとの混合が促進されて空気とオゾンとが隈なく接触する。
【００２６】
オゾン除去フィルター２９、３０、３１は、波形に成形した活性炭シートを積層してハニカム構造化したフィルターを触媒としたものである。オゾン除去フィルター２９はダクト１３の下端部１４における吸気ファン２０とオゾン発生器２５との間に配置され、オゾン除去フィルター３０、３１はダクト１３の上端部１５における後端部に互いに前後に並んで配置されている。従って、垂直部１６の下端辺りからオゾンを混合された空気は、上側のオゾン除去フィルター３０、３１を通る際にオゾンを除去されて上端部１５に送り出されて行く。
【００２７】
また、オゾン発生器２７が駆動している状態で、何らかの原因により吸気ファン２０等が停止した場合は、オゾンを含んだ空気が吸気口１４ａ側へ逆流するおそれがあるが、その場合の空気は必ず下側のオゾン除去フィルター２９を通されるので、そのオゾンはこのオゾン除去フィルター２９で除去されて機外に放出されることは無い。
【００２８】
電子フィルター３３は、高圧電線とメッシュフィルターを組み合わせた既知の形式のもので、上側のオゾン除去フィルター３０、３１と排気ファン２１との間に配置されており、その電源はダクト１３の外に配置されている。
マイナスイオン発生器３５は、排気口１５ａ近くに配置されており、これの電源もダクト１３の外に配置されている。
従って、オゾン除去フィルター３０、３１でオゾンを除去された空気は、電子フィルター３３を通る際に最終的な除塵を施された後、マイナスイオン発生器３５から発生するマイナスイオンを拾って排気口１５ａから機外に放出される。
空気清浄機１は以上のように構成されている。
【００２９】
〔Ｃ．作用〕
この空気清浄機１を室内の壁際などに設置すると、吸気口１４ａが床面近くに来て、排気口１５ａが天井近くに位置するので、室内の空気はその床面近くからダクト１３内に吸引されて天井近くから排出され、それにより、室内の空気が全体的にサーキュレーションされると共に、ダクト１３を通る間に清浄される。即ち、室内の空気は、先ず吸気口１４ａからダクト１３に入る際に各種のフィルター２６で除塵や脱臭をされた後、オゾン発生器２７から発生するオゾンによって殺菌され、その殺菌に使用されたオゾンは排気口１５ａから機外に出る前にオゾン除去フィルター３０、３１で除去され、最終的に電子フィルター３３によって除塵され、マイナスイオン発生器３５から発生するマイナスイオンを伴って排気口から室内に放出される。ダクト１３内のオゾン濃度は１０ｐｐｍ程度となり極めて効果的な殺菌を行うことができる。このようにオゾン濃度を高いものとしても、オゾンは排気口１５ａから機外に出る前にオゾン除去フィルター３０、３１で除去されので、人体に害を及ぼすことはない。
【００３０】
この空気清浄機１が運転している状態の室内は、そのほぼ全体に渡って、清浄で且つマイナスイオンを大量に含む空気で満たされると共に、除塵や脱臭、殺菌が循環的に繰り返されることで常に清浄な雰囲気が保たれる。
しかも、この空気清浄機１は、その躯体の半分以上を占める空間を収納室３ａとして有効に使用することができるし、空気清浄に働く部分すなわち空気清浄部１１は吸気口１４ａと排気口１５ａが見えるだけであるから、これを空気清浄機として意識することが少なく、インテリアとしても違和感が生じない。
【００３１】
〔２．第二の実施の形態〕（図４、図５）
図４及び図５は、第二の実施の形態に係る空気清浄機４１を示すものである。この空気清浄機４１は、前記空気清浄機１のような収納庫タイプのものでは無く、キャビネット４３に空気清浄部１１Ａを収めただけの構造になっている。この空気清浄部１１Ａが前記空気清浄機１における空気清浄部１１と相違するところは、主として、ダクトを総体的に縦長に構えた点と、このことに伴う各部材の配置形態だけである。従って、説明はこれら相違点だけについて行い、その他の部分については、図面の各部に前記空気清浄機１における同様の部位に付した符号と同じ符号、又はそれにダッシュ記号を付けた符号を付することで説明の重複を避ける。このような符号の使い方とその意味は、後述する第三の実施の形態においても同様とする。
【００３２】
キャビネット４３は、奥行きが比較的小さい縦長のもので、２メートル程度の丈を有し、その前面パネル４５における上下両端部に横長の口４５ａが形成されている。
ダクト１３′は、その下端寄りの部分５１と上端寄りの部分５２が右側から見ていずれもほぼコ字形に屈曲しており、下端寄り部分５１の下部前端開口が吸気口５１ａで、上端寄り部分５２の上部前端口が排気口５２ａになっている。
下端寄り部分５１における上側の角部には吸気ファン２０が配置され、上端寄り部分５２における下部の前寄り位置には排気ファン２１が配置されている。
【００３３】
吸気口５１ａの近くには除塵フィルター２６ａが着脱自在に取り付けられ、吸気ファン２０の下には除塵フィルター２６ｂ、脱臭フィルター２６ｃ、２６ｄが水平姿勢で互いに重なるように着脱自在に設けられている。排気口５２ａ近くにはマイナスイオン発生器３５が配置されている。
ダクト１３′の垂直部１６内には、その下端近くにオゾン発生器２７が取り付けられ、その上側に風向板１７が取り付けられ、更にこの上側にオゾン除去フィルター３０、３１と電子フィルター３３が下からこの順序で水平姿勢で取り付けられている。
【００３４】
このように組み立てられた空気清浄部１１Ａは、吸気口５１ａが前面パネル４５の下側の口４５ａに収まり排気口５２ａが前面パネル４５の上側の口４５ａに収まる状態でキャビネット４３内に取り付けられる。吸気口５１ａには排気口パネル１８と同様の吸気口パネル１８′が着脱自在に取り付けられる。
【００３５】
この空気清浄機４１においても、これを図５に示すように例えば室内の壁４７際で床に置くと、吸気口５１ａが床面近くに来て、排気口５２ａが天井近くに位置するので、室内の空気はその床面近くからダクト１３′内に吸引されたのち天井近くから排出されて、室内の空気が全体的にサーキュレーションされる。このようにサーキュレーションされる空気は、ダクト１３′に入ったところで各種のフィルター２６で除塵や脱臭をされた後、オゾン発生器２７から発生するオゾンによって殺菌され、その殺菌に使用されたオゾンは排気口５２ａから機外に出る前にオゾン除去フィルター３０、３１で除去され、電子フィルター３３によって最終的に除塵され、マイナスイオン発生器３５から発生するマイナスイオンを拾って排気口５２ａから室内に放出される。
【００３６】
〔３．第三の実施の形態〕（図６〜図８）
図６から図８は、第三の実施の形態に係る空気清浄機１１Ａ′を示すものである。この空気清浄機１１Ａ′はその大部分が壁４７に裏側から取り付けられる所謂ビルドインタイプのもので、格別なキャビネットは備えておらず、構造は前記第二の実施の形態で示した空気清浄機４１における空気清浄部１１と大部分同じであり、吸気口５１ａと排気口５２ａに多少の長さを持たせたことだけが相違する。即ち、図７を見て分かるように、吸気口５１ａと排気口５２ａはダクト１３′の前面１３′ａより壁４７の厚さ分程度前に突出させてある。
【００３７】
この空気清浄機１１Ａ′の取付けに当たっては、壁４７に上下２箇所孔４７ａを明け、この孔４７ａに吸気口５１ａと排気口５２ａの各先端部を壁の裏側から差し込んだ状態でダクト１３´を当該壁５７に固定する。
従って、この空気清浄機１１Ａ′を室内側から見たときは、図６に示すように、吸気口５１ａを塞いだ吸気口パネル１８′と排気口５２ａを塞いだ排気口パネル１８が壁４７の床近くと天井近くに各別に現れるだけで、他は壁４７に隠れるため、室内には出っ張らないすっきりした状態で設置される。
【００３８】
以上、本発明の実施の形態を説明したが、本発明の具体的構成がこの実施の形態に限定されるものでは無く、本発明の要旨から外れない範囲での設計変更等があっても本発明に含まれる。
例えば、上記実施の形態では、排気口を上端部に、吸気口を下端部に配置した空気清浄機を示したが、これとは逆に排気口を下端部に、吸気口を上端部に配置する構成としてもよい。このような構成とすると、例えば部屋の上層部に滞留する煙草の煙等を除去するのに有効である。
上記実施の形態では電子フィルター３３を排気ファン２１とオゾン除去フィルター３１との間に設けたが、電子フィルター３３をオゾン除去フィルター３１とオゾン除去フィルター３０との間に配置してもよい。電子フィルターの中には、特に高電圧をかけるとオゾンを発生するものがあるが、このような構成にすれば、電子フィルター３３からオゾンが発生しても、このオゾンが機外に漏れるのを防止できる。
【００３９】
【発明の効果】
以上のように、本発明によれば、居住空間のほぼ全体に渡る大きな対流を伴って空気浄化を行うことができると共に、オゾン発生器の機能を十分果すことができる。また、意匠的効果にも優れ室内に出っ張らないすっきりした状態で設置することができる。
【図面の簡単な説明】
【図１】本発明の第一の実施の形態に係る空気清浄機の外観を示す斜視図である。
【図２】図１のＡ−Ａ線に沿って切断した拡大断面図である。
【図３】図１に示す空気清浄機における空気清浄部の斜視図である。
【図４】本発明の第二の実施の形態に係る空気清浄機の斜視図である。
【図５】図４の空気清浄機を壁沿いに設置した状態において同図のＢ−Ｂ線に沿って切断した断面図である。
【図６】本発明の第三の実施の形態に係る空気清浄機を壁の裏側に取り付けた状態で示す正面図である。
【図７】図６のＣ−Ｃ線に沿って切断した拡大断面図である。
【図８】図６に示す空気清浄機における空気清浄部を拡大した斜視図である。
【符号の説明】
１…空気清浄機　　３…キャビネット　　３ａ…物品収納部
１３…通気路　　１４ａ…吸気口　　１５ａ…排気口　　１７…風向板
２０…ファン（吸気用ファン）　　２１…（排気用ファン）
２６…除塵フィルター　　２７…オゾン発生器
２９…吸気口とオゾン発生器との間の区間に設けたオゾン除去フィルター
３０…風下側に配置されたオゾン除去フィルター
３１…風下側に配置されたオゾン除去フィルター
３５…マイナスイオン発生器
４１…空気清浄機　　１３′…通気路　　５１ａ…吸気口
５２ａ…排気口
１１Ａ′…空気清浄機　　１３′ａ…通気路の前面
【図１】
2004020006.tif 000003
【図２】
2004020006.tif 000004
【図３】
2004020006.tif 000005
【図４】
2004020006.tif 000006
【図５】
2004020006.tif 000007
【図６】
2004020006.tif 000008
【図７】
2004020006.tif 000009
【図８】
2004020006.tif 000010